(57)【要約】【課題】人感センサーによる浴室の人の在室の連続検知時間によって何らかの処理が為されていなかったため、使い勝手がよくなかった。【解決手段】給湯機本体１と、浴室リモコン３とを備え、前記浴室リモコン３は、人の在／不在を検知する人検知手段７、音声出力手段８、前記音声出力手段８の信号を音に変えるスピーカ９を有し、前記人検知手段７が人を検知している場合は、検知時間を計測するとともに、前記検知時間が所定値以上の場合には、前記音声出力手段８でその旨の音声案内を行うことを特徴とする給湯機で、使い勝手や安全性を犠牲にせず、音声案内や、表示によるさらなるユニバーサルデザインを向上させた給湯機を提供できる。【選択図】図１
2012127545.tif 000002
【特許請求の範囲】
【請求項１】
給湯機本体と、浴室リモコンとを備え、前記浴室リモコンは、人の在／不在を検知する人検知手段、音声出力手段、前記音声出力手段の信号を音に変えるスピーカを有し、前記人検知手段が人を検知している場合は、検知時間を計測するとともに、前記検知時間が所定値以上の場合には、前記音声出力手段でその旨の音声案内を行うことを特徴とする給湯機。
【請求項２】
給湯機本体と、台所リモコンと、人の在／不在を検知する人検知手段を有する浴室リモコンとを備え、前記台所リモコンと前記浴室リモコンとは、音声出力手段、前記音声出力手段の信号を音に変えるスピーカ、通信手段を有し、前記人検知手段が人を検知している場合は、検知時間を計測するとともに、前記検知時間が所定値以上である旨を前記台所リモコンに通信し、前記台室リモコンは、前記音声出力手段でその旨の音声案内を行うことを特徴とする給湯機。
【請求項３】
給湯機本体と、台所リモコンと、人の在／不在を検知する人検知手段を有する浴室リモコンとを備え、前記台所リモコンと前記浴室リモコンとは、表示手段、通信手段を有し、前記人検知手段が人を検知している場合は、検知時間を計測するとともに、前記検知時間が所定値以上である旨を前記台所リモコンに通信し、前記台室リモコンは、前記表示手段でその旨の表示案内を行うことを特徴とする給湯機。
【発明の詳細な説明】
【技術分野】
【０００１】
本発明は、給湯機の人検知に関するものである。
【背景技術】
【０００２】
従来、この種の給湯機では、だれもが使いやすいように（ユニバーサルデザインと呼ばれる）、浴室リモコンに付けられた人感センサーにより、浴室に人の在／不在を検知し、在室を検知している場合はおふろの追いだき処理を行うものがあった（例えば、特許文献１参照）。
【先行技術文献】
【特許文献】
【０００３】
【特許文献１】特開２０１０−０１９５０１号公報
【発明の概要】
【発明が解決しようとする課題】
【０００４】
しかしながら、前期従来の構成では、浴室リモコンに付けられた人感センサーにより、浴室に人の在／不在を検知し、在室を検知している場合はおふろの追いだき処理を行っているが、在室の連続検知時間によって何らかの処理を行っていることは為されていなかった。
【０００５】
本発明は、前記従来の課題を解決するもので、使い勝手や安全性を犠牲にせず、音声案内や、表示によるさらなるユニバーサルデザインを向上させた給湯機を提供することを目的とする。
【課題を解決するための手段】
【０００６】
前記従来の課題を解決するために、本発明の給湯機は、給湯機本体と、浴室リモコンとを備え、前記浴室リモコンは、人の在／不在を検知する人検知手段、音声出力手段、前記音声出力手段の信号を音に変えるスピーカを有し、前記人検知手段が人を検知している場合は、検知時間を計測するとともに、前記検知時間が所定値以上の場合には、前記音声出力手段でその旨の音声案内を行うことを特徴とするものである。
【０００７】
また、本発明の給湯機は、給湯機本体と、台所リモコンと、人の在／不在を検知する人検知手段を有する浴室リモコンとを備え、前記台所リモコンと前記浴室リモコンとは、音声出力手段、前記音声出力手段の信号を音に変えるスピーカ、通信手段を有し、前記人検知手段が人を検知している場合は、検知時間を計測するとともに、前記検知時間が所定値以上である旨を前記台所リモコンに通信し、前記台室リモコンは、前記音声出力手段でその旨の音声案内を行うことを特徴とするものである。
【０００８】
また、本発明の給湯機は、給湯機本体と、台所リモコンと、人の在／不在を検知する人検知手段を有する浴室リモコンとを備え、前記台所リモコンと前記浴室リモコンとは、表示手段、通信手段を有し、前記人検知手段が人を検知している場合は、検知時間を計測するとともに、前記検知時間が所定値以上である旨を前記台所リモコンに通信し、前記台室リモコンは、前記表示手段でその旨の表示案内を行うことを特徴とするものである。
【０００９】
これによって、浴室への長時間におよぶ在室を、浴室リモコンへも、また離れた場所にある台所リモコンへも知らせることができる給湯機を提供できる。
【発明の効果】
【００１０】
本発明によれば、使い勝手や安全性を犠牲にせず、音声案内や、表示によるさらなるユニバーサルデザインを向上させた給湯機を提供できる。
【図面の簡単な説明】
【００１１】
【図１】本発明の実施の形態１における給湯機のブロック図
【図２】同給湯機の音声案内のフローチャート
【図３】同給湯機の音声案内のフローチャート
【図４】同給湯機の表示のフローチャート
【発明を実施するための形態】
【００１２】
第１の発明は、給湯機本体と、浴室リモコンとを備え、前記浴室リモコンは、人の在／不在を検知する人検知手段、音声出力手段、前記音声出力手段の信号を音に変えるスピーカを有し、前記人検知手段が人を検知している場合は、検知時間を計測するとともに、前記検知時間が所定値以上の場合には、前記音声出力手段でその旨の音声案内を行うことを特徴とする給湯機で、使い勝手や安全性を犠牲にせず、音声案内や、表示によるさらなるユニバーサルデザインを向上させた給湯機を提供できる。
【００１３】
第２の発明は、給湯機本体と、台所リモコンと、人の在／不在を検知する人検知手段を有する浴室リモコンとを備え、前記台所リモコンと前記浴室リモコンとは、音声出力手段、前記音声出力手段の信号を音に変えるスピーカ、通信手段を有し、前記人検知手段が人を検知している場合は、検知時間を計測するとともに、前記検知時間が所定値以上である旨を前記台所リモコンに通信し、前記台室リモコンは、前記音声出力手段でその旨の音声案内を行うことを特徴とする給湯機で、浴室に居ずとも浴室の状態を知ることができる。
【００１４】
第３の発明は、給湯機本体と、台所リモコンと、人の在／不在を検知する人検知手段を有する浴室リモコンとを備え、前記台所リモコンと前記浴室リモコンとは、表示手段、通信手段を有し、前記人検知手段が人を検知している場合は、検知時間を計測するとともに、前記検知時間が所定値以上である旨を前記台所リモコンに通信し、前記台室リモコンは、前記表示手段でその旨の表示案内を行うことを特徴とする給湯機で、浴室に居ずとも浴室の状態を知ることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における給湯機のブロック図である。
【００１７】
図１において、給湯機本体１と台所リモコン２と浴室リモコン３は、リモコンケーブルで接続されている。浴室リモコン３には、給湯機本体１と浴室リモコン３と通信を行う通信手段４があり、マイコン５と接続されている。
【００１８】
また、表示手段６では、マイコン５からの信号により、使用者に対して表示を行う。人検知手段７は、浴室リモコン３近傍の人の在／不在を検知し、マイコン５に伝える。音声出力手段８では、マイコン５からの音声案内信号を受け取り、スピーカ９を駆動する。
【００１９】
また、台所リモコン２にも、浴室リモコン３と同様の回路ブロックが存在するが、同様のブロックは、同じ符号を与え、説明も省略する。台所リモコン２では、人検知手段７が存在しない。
【００２０】
以上のように構成された給湯機について、図２を用いて、以下その動作、作用を説明する。
【００２１】
図２は、本発明の実施の形態１における給湯機の音声案内のフローチャートである。
【００２２】
まず、浴室リモコン３で音声案内を行う場合、人検知手段７で浴室の人の在／不在を検知する。
【００２３】
その結果、人を検知している場合は、図２のステップ１から、ステップ２に進む。ステップ２では、人を検知している間、その連続時間を計測する。その後、ステップ３により、計測した時間が設定された連続時間を超過しているか否か確認する。この時、時間超過していた場合はステップ４に進む。
【００２４】
ステップ４では、人を検知した連続時間が設定時間より超過している旨の音声案内を開始する。音声案内は、マイコン５から音声信号が出力される。その信号がスピーカ９に伝えられ、音声が出力される。
【００２５】
もし、人検知手段７で人を検知していない場合、あるいは検知していても連続時間が設定時間を超過していない場合は、図２のステップ１、およびステップ３で「Ｎ」側に進み、音声は出力されない。
【００２６】
以上のように、浴室リモコンに、人の在／不在を検知する人検知手段と、音声出力手段と、前記音声出力手段の信号を音に変えるスピーカと、通信手段を有し、前記人検知手段が人を検知している場合は、その連続時間を計測し、設定時間以上の経過をした場合は、前記音声出力手段で時間経過した旨の音声案内を行うことによりさらなるユニバーサルデザインを向上させることができる。
【００２７】
図３は、本発明の実施の形態１における給湯機の音声案内のフローチャートである。
【００２８】
まず、台所リモコン２で音声案内を行う場合、通信手段４により、人検知時間超過信号を受信しているか否かを判断する。
【００２９】
受信している場合は、ステップ５から、ステップ６に進む。ステップ６では、音声案内を開始する。音声案内は、マイコン５から音声出力手段８に伝えられ、音声が出力される。その信号がスピーカ９に伝えられ、音が出る。
【００３０】
もし、人検知時間超過信号を受信していない場合は、図３のステップ５で「Ｎ」側に進み、音声は出力されない。
【００３１】
以上のように、人検知手段７により人を検知している連続時間が、設定時間を超過した場合は、通信手段４により、時間超過した旨を台所リモコンに通信し、台所リモコンでは、浴室リモコンから受信した人検知時間超過信号により、音声出力手段で時間経過した旨の音声案内を行うことにより、浴室に居ずとも浴室の状態を知ることができる。
【００３２】
図４は、本発明の実施の形態１における給湯機の表示のフローチャートである。
【００３３】
まず、台所リモコン２で表示を行う場合、通信手段４により、人検知時間超過信号を受信しているか否かを判断する。受信している場合は、ステップ５から、ステップ７に進む。ステップ７では、表示を開始する。表示は、マイコン５から表示手段６に伝えられ、メッセージが表示される。
【００３４】
もし、人検知時間超過信号を受信していない場合は、図４のステップ５で「Ｎ」側に進み、メッセージは表示されない。
【００３５】
以上のように、人検知手段７により人を検知している連続時間が、設定時間を超過した場合は、通信手段４により、時間超過した旨を台所リモコンに通信し、台所リモコンでは、浴室リモコンから受信した人検知時間超過信号により、表示手段で時間経過した旨のメッセージを表示することにより、浴室に居ずとも浴室の状態を知ることができる。
【産業上の利用可能性】
【００３６】
以上のように、本発明にかかる給湯機は、使い勝手や安全性を犠牲にせず、音声案内や表示によるさらなるユニバーサルデザインを向上させることができるので、人が長時間在室している時にも音声案内や表示を必要とする機器に応用することができる。
【符号の説明】
【００３７】
１  給湯機本体
２  台所リモコン
３  浴室リモコン
４  通信手段
６  表示手段
７  人検知手段
８  音声出力手段
９  スピーカ
【図１】
2012127545.tif 000003
【図２】
2012127545.tif 000004
【図３】
2012127545.tif 000005
【図４】
2012127545.tif 000006